(57)【要約】【課題】輻射暖房運転時に輻射体内から光源の光を貫通孔および前面ガードを介して前方に放射して視覚暖房効果を向上することを目的とする。【解決手段】輻射パネル２４に複数の波形状を有する反射板２９を設け、光源２８からの光を反射させ、輻射体２３の前方へ放射される光源の光に強弱のアクセントをつけるとともに、輻射体２３に設ける貫通孔２７の形状もしくは連続パタ−ンを工夫することで、どの角度から製品の輻射体部分を見た場合においても輻射体２３全体の照明効果の安定した見映えを確保するとともに、輻射体２３に設ける貫通孔２７の位置を適切に設定することにより低騒音の暖房機を実現する。【選択図】図１
2005147496.tif 000002
【特許請求の範囲】
【請求項１】
高温ガス発生手段と、上記高温ガス発生手段からの高温ガスにより加熱された熱を輻射エネルギーとして発生する輻射体と、上記輻射体に高温ガスを導く輻射体加熱風路と、空気流を供給する送風機と、上記送風機からの空気流を本体冷却風路を介して輻射体加熱風路と機器筐体の間に流す輻射体冷却風路と、上記送風機からの空気流と高温ガス発生手段からの高温ガスを混合して温風として排出する温風吹出口とを備え、上記本体冷却風路の適所に送風機からの空気流を輻射体冷却風路側かあるいは温風吹出口側へ切り替える風路切替手段を配設し、かつ輻射体の側面部に光源を設けるとともに、輻射体の奥側に光源からの光を反射するための複数の波形状を有した反射板を設け、前記反射板からの縞状の反射光が輻射体に設けられた複数の貫通孔および輻射体の前面に設けられた前面ガ−ドの格子状開口部を介して機器前面に放射されるようにした暖房装置。
【請求項２】
輻射体の貫通孔が、波形状の反射板による縞状の反射光に対して垂直に長手方向を有する長穴形状であり、かつ長穴の長手寸法は反射光の縞ピッチ２本分以上であることを特徴とする請求項１記載の暖房装置。
【請求項３】
輻射体の貫通孔の形状が、波形状の反射板による縞状の反射光に対してある角度をもって斜めに配置された長穴形状の連続パタ−ンであり、左右方向に隣り合う貫通孔どうしが、縞状の反射光の幅寸法分よりも大きい範囲で左右方向に重なり合うことを特徴とする請求項１記載の暖房装置。
【請求項４】
輻射体の貫通孔が形状が、波形状の反射板による縞状の反射光に対してある角度をもって斜めに配置された長穴形状の連続パタ−ンであり、上下方向に隣り合う貫通孔どうしが、前面ガ−ドの格子の横桟の太さよりも大きい範囲で上下方向に重なり合うことを特徴とする請求項１記載の暖房装置。
【請求項５】
輻射体の貫通孔の形状が、波形状の反射板による縞状の反射光に対して互いに逆方向のある角度を有する斜め長穴形状が、左右方向へ１列おきに連続するパタ−ンであり、左右方向に隣り合う貫通孔どうしが、縞状の反射光の幅寸法分よりも大きい範囲で左右方向に重なり合うことを特徴とする請求項１記載の暖房装置。
【請求項６】
輻射体の貫通孔の形状が、波形状の反射板による縞状の反射光に対して互いに逆方向のある角度を有する斜め長穴形状が、左右方向へ１列おきに連続するパタ−ンであり、上下方向に隣り合う貫通孔どうしが、前面ガ−ドの格子の横桟の太さよりも大きい範囲で上下方向に重なり合うことを特徴とする請求項１記載の暖房装置。
【請求項７】
輻射体の貫通孔の形状が、請求項５および６記載の条件を同時に満たすような連続パタ−ンであることを特徴とする請求項１記載の暖房装置。
【請求項８】
輻射体に設けられた貫通孔を介して製品本体外部から本体内部に位置する高温ガス発生手段が直接見えないことを特徴とした請求項１〜７のいずれか１項記載の暖房装置。
【発明の詳細な説明】
【技術分野】
【０００１】
本発明は、輻射熱と温風を用いた暖房装置に関し、特に輻射暖房時の間接照明構成に関するものである。
【背景技術】
【０００２】
従来、この種の暖房装置は図１２に示すような構成になっており、高温ガス発生手段１と、上記高温ガス発生手段１からの高温ガスにより加熱されて得た熱を輻射エネルギーとして発生する輻射体２と、上記輻射体２に高温ガスを導く輻射体加熱風路３と、空気流を供給する送風機４と、上記送風機４からの空気流を本体冷却風路５を介して輻射体加熱風路３と機器筐体の間に流す輻射体冷却風路６と、上記送風機４からの空気流と高温ガス発生手段１からの高温ガスを混合して温風として排出する温風吹出口７とを備え、上記本体冷却風路５の適所に送風機４からの空気流を輻射体加熱風路３側かあるいは温風吹出口７側へ切り替える風路切替手段８を配設していた。
【０００３】
このような構成においては、送風機４からの空気流を輻射体加熱風路３側かあるいは温風吹出口７側へ切り替える風路切替手段８を配設してあるので、風路切替手段８が送風機４からの空気流を輻射体加熱風路３側へ切り替えたときには輻射暖房運転となり、送風機４からの空気流が輻射体加熱風路３へ流れ、高温ガス発生手段１からの高温ガスに下方へ流れる力が働き、その熱によるドラフトで高温ガスは上方へ流れ、輻射体加熱風路３へ導かれるようになる。
【０００４】
そして、高温ガスで輻射体２の採熱面を高温とし、高温となった輻射体２よりその採熱した熱を輻射エネルギーとして発生させて輻射暖房をすることができる。
【０００５】
また、風路切替手段８が送風機４からの空気流を温風吹出口７側へ切り替えたときには温風暖房運転となり、送風機４からの空気流が下方へ流れ高温ガス発生手段１からの高温ガスを温風吹出口７側へ導き、送風機４からの空気流と高温ガス発生手段１からの高温ガスを混合して、温風として温風吹出口７からを排出する温風暖房をすることができる。
【０００６】
輻射暖房時には輻射体２が高温になるため、不用意に高温部に触れると火傷などの危険性があるが、図１３に示すように輻射体２の側面部に暖色系の光源９を設け、輻射体２の奥側には光源からの光を反射するための複数の波形状を有した反射板１０を設け、反射板１０からの反射光が輻射体２に設けた貫通孔を介して前面に放射するように構成してあるため、輻射部およびその近傍が高温であることを照明表示することで触手等により不安全行為を防止することができるとともに、視覚的な暖房感を得ることができる（例えば、特許文献１参照）。
【０００７】
このような構成においては、高温となる輻射体の背面に光源を配設していないので、光源の温度低下が図れるとともに、コンパクトな光源で輻射体近傍を広範囲に照明することができるという利点を有していた。
【特許文献１】特開２００２−１４７７７１号公報
【発明の開示】
【発明が解決しようとする課題】
【０００８】
しかしながら、一般的には輻射タイプの暖房機器においては、高温の輻射体に直接手が触れないように輻射体の前面部に保護用の前面ガ−ドを設け、その前面ガ−ドの表面には植毛加工を施し、短時間であれば手が触れても火傷などの危険がないように配慮されている。
【０００９】
このように、輻射体の前面部に保護用の前面ガ−ドを設けた場合、上記の構成のように輻射暖房運転時に間接照明で運転状態を表現するため、波形状を有した反射板を採用する場合においては、反射板からの反射光は正面から見て縞状であり、輻射体の奥側の反射面全体が均一に光っているわけではないため、輻射体に設けた貫通孔の形状によっては反射光が製品前面へ効率よく放射されず、照明効果の見栄えが悪くなってしまうという課題があった。
【００１０】
さらに、前面ガ−ドの格子型開口形状によっては反射板から輻射体の貫通孔を介して通過してくる縞状の反射光を部分的に遮る場合があり、その際には局所的に明るい部分と暗い部分が生じるために光の干渉縞が生じてしまうという課題があった。
【００１１】
また、輻射体に貫通孔を設けたことによって、輻射体ならびに貫通孔などを有しない従来までの暖房装置に比べて機器外部から機器内部の高温ガス発生手段へ連通する開口部の面積が大きくなっているが、この結果、高温ガス発生手段にて発生したガス噴出音および燃焼音などの騒音が機器外へ漏れやすくなっており、機器の騒音特性が悪化するという課題が生じていた。
【００１２】
本発明は上記従来の課題を解決するもので、波形状を有した反射板および前面ガ−ドの形状に応じて輻射体に設ける貫通孔の形状もしくは連続パタ−ンを工夫することで、反射光が効率よく機器外へ放射されることで安全性が高く、より視覚的な暖房感を得ることのできる暖房機の実現を目的としたものである。
【００１３】
また、輻射体に設ける貫通孔の位置を適切に設定することにより低騒音の暖房機を実現することを目的としたものである。
【課題を解決するための手段】
【００１４】
本発明は上記目的を達成するために、高温ガス発生手段と、上記高温ガス発生手段からの高温ガスにより加熱された熱を輻射エネルギーとして発生する輻射体と、上記輻射体に高温ガスを導く輻射体加熱風路と、空気流を供給する送風機と、上記送風機からの空気流を本体冷却風路を介して輻射体加熱風路と機器筐体の間に流す輻射体冷却風路と、上記送風機からの空気流と高温ガス発生手段からの高温ガスを混合して温風として排出する温風吹出口とを備え、上記本体冷却風路の適所に送風機からの空気流を輻射体冷却風路側かあるいは温風吹出口側へ切り替える風路切替手段を配設し、かつ輻射体の側面部に光源を設けるとともに、輻射体の奥側に光源からの光を反射するための複数の波形状を有した反射板を設け、前記反射板からの縞状の反射光が輻射体に設けられた複数の貫通孔および輻射体の前面に設けられた前面ガ−ドの格子状開口部を介して機器前面に放射されるように構成してある。
【００１５】
上記発明によれば、使い勝手に応じて暖房形態を自由に選択できる快適な暖房装置を提供することができ、特に、輻射部およびその近傍が高温であることを照明表示するための光源を輻射体の側面部に設け、輻射体の奥側には光源からの光を反射するための複数の波形状を有した反射板を設けて、反射板からの反射光が輻射体に設けた貫通孔を介して前面に放射するようにしてある構成に加え、輻射体の前面部には植毛加工が施された保護用の前面ガ−ドが設けられているので、高温の輻射体に直接手が触れてしまうことを防止することができる。
【発明の効果】
【００１６】
以上説明したように、使い勝手に応じて暖房形態を自由に選択できる快適な暖房装置を提供することができ、特に、輻射部およびその近傍が高温であることを照明表示するための光源を輻射体の側面部に設け、輻射体の奥側には光源からの光を反射するための複数の波形状を有した反射板を設けて、反射板からの反射光が輻射体に設けた貫通孔を介して前面に放射するようにしてある構成に加え、輻射体の前面部には植毛加工が施された保護用の前面ガ−ドが設けられているので、高温の輻射体に直接手が触れてしまうことを防止することができる。
【発明を実施するための最良の形態】
【００１７】
第１の発明は、高温ガス発生手段と、上記高温ガス発生手段からの高温ガスにより加熱された熱を輻射エネルギーとして発生する輻射体と、上記輻射体に高温ガスを導く輻射体加熱風路と、空気流を供給する送風機と、上記送風機からの空気流を本体冷却風路を介して輻射体加熱風路と機器筐体の間に流す輻射体冷却風路と、上記送風機からの空気流と高温ガス発生手段からの高温ガスを混合して温風として排出する温風吹出口とを備え、上記本体冷却風路の適所に送風機からの空気流を輻射体冷却風路側かあるいは温風吹出口側へ切り替える風路切替手段を配設し、かつ輻射体の側面部に光源を設けるとともに、輻射体の奥側に光源からの光を反射するための複数の波形状を有した反射板を設け、前記反射板からの縞状の反射光が輻射体に設けられた複数の貫通孔および輻射体の前面に設けられた前面ガ−ドの格子状開口部を介して機器前面に放射される構成としたことを特徴とするものである。
【００１８】
そして、送風機からの空気流を輻射体冷却風路側かあるいは温風吹出口側へ切り替える風路切替手段を配設してあるので、風路切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなり、その熱によるドラフトで高温ガスは上方へ流れ、輻射体加熱風路へ導かれるようになり、高温ガスで輻射体の採熱面を高温とし、高温となった輻射体よりその採熱した熱を輻射エネルギーとして発生し、輻射暖房をすることができる。
【００１９】
また、風路切替手段が送風機からの空気流を温風吹出口側へ切り替えたときには温風暖房運転となり、送風機からの空気流が下方へ流れ高温ガス発生手段からの高温ガスを温風吹出口側へ導き、送風機からの空気流と高温ガス発生手段からの高温ガスを混合して、温風として温風吹出口からを排出する温風暖房をすることができる。
【００２０】
さらに、輻射暖房運転時には、輻射体と輻射体の取り付けられた機器筐体の間に送風機からの空気流を本体冷却風路を介して流す輻射体冷却風路を配設してあるので、高温となった輻射体からの熱からの機器筐体への熱伝導を低減することができ、安全性の高い、使い勝手に応じて暖房形態を自由に選択できる快適な暖房装置を提供することができる。
【００２１】
輻射暖房時には輻射体が高温になるため、不用意に高温部に触れると火傷などの危険性があるが、輻射体の前面部には植毛加工が施された保護用の前面ガ−ドが設けられているので、高温の輻射体に直接手が触れてしまうのを防止することができるとともに、輻射体の側面部に暖色系の光源を設け、輻射体の奥側には光源からの光を反射するための複数の波形状を有した反射板を設け、反射板からの反射光が輻射体に設けた貫通孔を介して前面に放射するように構成してあるため、輻射部およびその近傍が高温であることを照明表示することで触手等により不安全行為を防止することができるとともに、視覚的な暖房感を得ることができる。
【００２２】
第２の発明は、輻射体の貫通孔が、波形状の反射板による縞状の反射光に対して垂直に長手方向を有する長穴形状であり、かつ長穴の長手寸法は反射光の縞ピッチ２本分以上であることを特徴とするものである。
【００２３】
そして、どの角度から製品の輻射体部分を見た場合においても、反射光の縞ピッチが貫通孔と貫通孔の間にちょうど同期して隠れてしまうことによって局所的に暗い部分が生じ、明るい部分との対比によって干渉縞が生じてしまうなどの問題を防止することができる。
【００２４】
第３の発明は、輻射体の貫通孔が、波形状の反射板による縞状の反射光に対してある角度をもって斜めに配置された長穴形状の連続パタ−ンであり、左右方向に隣り合う貫通孔どうしが、縞状の反射光の幅寸法分よりも大きい範囲で左右方向に重なり合うように設定したことを特徴とするものである。
【００２５】
そして、どの角度から製品の輻射体部分を見た場合においても、反射光が貫通孔と貫通孔の間にちょうど隠れてしまうことによって局所的に暗い部分が生じ、明るい部分との対比によって干渉縞が生じてしまうなどの問題を防止することができる。
【００２６】
第４の発明は、輻射体の貫通孔が、波形状の反射板による縞状の反射光に対してある角度をもって斜めに配置された長穴形状の連続パタ−ンであり、上下方向に隣り合う貫通孔どうしが、前面ガ−ドの格子の横桟の太さよりも大きい範囲で上下方向に重なり合うように設定したことを特徴とするものである。
【００２７】
そして、どの角度から製品の輻射体部分を見た場合においても、貫通孔を通過した反射光が前面ガ−ドの格子の横桟とちょうど同期して隠れてしまうことによって局所的に暗い部分が生じ、明るい部分との対比によって干渉縞が生じてしまうなどの問題を防止することができる。
【００２８】
第５の発明は、輻射体の貫通孔が、波形状の反射板による縞状の反射光に対して互いに逆方向のある角度を有する斜め長穴形状が、左右方向へ１列おきに連続するパタ−ンであり、左右方向に隣り合う貫通孔どうしが、縞状の反射光の幅寸法分よりも大きい範囲で左右方向に重なり合うように設定したことを特徴とするものである。
【００２９】
そして、どの角度から製品の輻射体部分を見た場合においても、反射光が貫通孔と貫通孔の間にちょうど隠れてしまうことによって局所的に暗い部分が生じ、明るい部分との対比によって干渉縞が生じてしまうなどの問題を防止することができる。
【００３０】
第６の発明は、輻射体の貫通孔が、波形状の反射板による縞状の反射光に対して互いに逆方向のある角度を有する斜め長穴形状が、左右方向へ１列おきに連続するパタ−ンであり、上下方向に隣り合う貫通孔どうしが、前面ガ−ドの格子の横桟の太さよりも大きい範囲で上下方向に重なり合うように設定したことを特徴とするものである。
【００３１】
そして、どの角度から製品の輻射体部分を見た場合においても、貫通孔を通過した反射光が前面ガ−ドの格子の横桟とちょうど同期して隠れてしまうことによって局所的に暗い部分が生じ、明るい部分との対比によって干渉縞が生じてしまうなどの問題を防止することができる。
【００３２】
第７の発明は、輻射体の貫通孔の形状が、請求項５および６記載の条件を同時に満たすような連続パタ−ンであることを特徴とするものである。
【００３３】
そして、どの角度から製品の輻射体部分を見た場合においても、輻射体全体の照明の見映えが反射板の波形状ピッチや前面ガ−ドの横桟ピッチなどの影響を受けることで局所的に暗い部分が生じ、明るい部分との対比によって干渉縞が生じてしまうなどの問題を防止することができる。
【００３４】
第８の発明は、輻射体に設けられた貫通孔を介して製品本体外部から本体内部に位置する高温ガス発生手段が直接見えないように貫通孔の位置を設定したことを特徴とするものである。
【００３５】
そして、機器外部から機器内部の高温ガス発生手段へ直接連通する開口部の面積が小さく、高温ガス発生手段にて発生したガス噴出音および燃焼音などの騒音が機器外へ漏れにくく、暖房機の低騒音化を実現することが可能である。
【００３６】
以下、本発明の実施の形態について図面を用いて説明する。
【００３７】
（実施の形態１）
図１〜図３において、２１は高温ガス発生手段で、本実施の形態１では燃料を燃焼させる燃焼部で構成し、この燃焼部で生じた燃焼排ガスを燃焼筒２２を介して上方へ導くようにしている。
【００３８】
２３は熱を輻射エネルギーとして発生する輻射体で、この背面に設けた輻射パネル２４との間に輻射体加熱風路２５を形成し、この輻射体加熱風路２５に上記の高温の燃焼排ガスを流して、その熱を輻射体２３の採熱面２６で採熱し、その採熱した熱を輻射エネルギーとして発生するようになっている。
【００３９】
また、この輻射体２３には多数の貫通孔２７が配設してあり、この貫通孔２７を介し輻射体加熱風路２５からの高温の燃焼排ガスを輻射体２３の両面に流し、輻射体２３の両面が採熱面２６となるようにしてある。
【００４０】
２８は複数のＬＥＤからなる光源で、輻射体２３と輻射パネル２４の側部に配設し、輻射体２３と輻射パネル２４間に光源２８からの光を通し、輻射体２３内から光源２８の光を貫通孔２７を介して前面に放射するようになっている。
【００４１】
輻射パネル２４には、複数の波形状を有する反射板２９を設けてあり、かつ反射板２９を全体的に中央部が高く端部が低くなるような山形形状として、光源２８からの光を反射板２９波部の斜面に反射させ、輻射体２３内から光源２８の光を貫通孔２７を介して前面に放射するようになっている。
【００４２】
３０は輻射体加熱風路２５と機器筐体３１の間に空気流を流し、輻射暖房運転時に機器筐体３１への熱伝導を低減する輻射体冷却風路で、その流した空気流は機器本体の上部に配設した輻射体冷却風路３０の排出口３６より排出され、部屋の空気の循環流を形成するようにしてある。
【００４３】
３２は輻射体冷却風路３０下方に位置させ、輻射体２３の下部に配置した温風吹き出し口で、高温ガス発生手段２１生じた燃焼排ガスと室内空気流を混合して温風として排出するようになっている。
【００４４】
３３は室内空気を空気流として供給する送風機で、この空気流は本体冷却風路３４を介して風路切替手段３５で、輻射体冷却風路３０側かあるいは温風吹き出し口３２側へ切り替えられ、流れていくようになっている。３６は循環用空気吹出口である。
【００４５】
上記した構成において、図１に示すように、風路切替手段３５が送風機３３からの空気流を輻射体冷却風路３０側へ切り替えたときには輻射暖房運転となる。
【００４６】
このとき、高温ガス発生手段２１で生じた燃焼排ガスは上方へ流れていき、その熱によるドラフトでさらに上昇力を強めて、輻射体加熱風路２４へ導かれるようになる。
【００４７】
そして、高温ガス発生手段２１で生じた高温の燃焼排ガスで輻射体２３の採熱面２６を高温とし、その輻射体２３より輻射エネルギーとして発生し、輻射暖房をすることができるようになる。
【００４８】
また、図２のように、風路切替手段３５が送風機３３からの空気流を温風吹出口３２側へ切り替えたときには温風暖房運転となる。
【００４９】
すなわち、送風機３３からの空気流は高温ガス発生手段２２の前面下方へ流れ、この高温ガス発生手段２１で生じた燃焼排ガスを温風吹出口３２側へ導き、送風機３３からの空気流と燃焼排ガスを混合して、温風として吹出すものである。
【００５０】
ここで、輻射暖房運転時には、送風機３３からの空気流を本体冷却風路３４を介して輻射体冷却風路３０に流すようにしているので、高温となった輻射体２３からの熱が機器筐体３１へ伝導するのを低減することができるようになる。
【００５１】
したがって、風路切替手段３５で送風機３３からの空気流を輻射体冷却風路３０側かあるいは温風吹出口３２側へ切り替えることによって、輻射暖房運転あるいは温風暖房運転に簡単に切り替えができるようになり、また広い輻射体２３が高温となりその伝熱によって機器筐体３１の温度が上がりやすい輻射暖房運転時において、輻射体冷却風路３０に送風機３３からの空気流を流すので、機器筐体３１の温度も低く保て、やけどや輻射体２３の近傍に配置してある部品の耐熱性の心配もなくなる。
【００５２】
つまり、風路切替手段３５が送風機３３からの空気流を輻射体冷却風路３０側へ切り替えられた輻射暖房運転時は、送風機３３からの空気流が輻射体冷却風路３０へ流れて燃焼排ガスへ燃焼筒２２の排出口より下方にある温風吹出口３２へ流れる力が働かなり、その熱によるドラフトで燃焼排ガスは上方へ流れ、輻射体加熱風路３０へ導かれるようになる。
【００５３】
また、風路切替手段３５が送風機３３からの空気流を温風吹出口３２側へ切り替えた温風暖房運転時は、送風機３３からの空気流が温風吹出口３２へ流れ燃焼筒２２から排出される燃焼排ガスを燃焼筒２２の排出口より下方にある温風吹出口３２側へ導かれるようになる。
【００５４】
したがって、燃焼排ガスの上方へ流れようとするドラフト力と、送風機３３からの空気流でその燃焼排ガスを下方へ流そうとする力の上下方向のバランスを、高温ガス切り替え手段３５で切り替えることによって、スムーズに高温ガスの流れを制御できるようになり、輻射暖房運転と温風暖房運転を簡単に切り替えができるようになる。
【００５５】
またここで、輻射暖房運転時には、上記輻射体２３に多数の貫通孔２７を設け、燃焼部２１からの高温の燃焼排ガスが輻射体２３の両面を流れるようにして、その輻射体２３の採熱面２６を両面になるようにしてあるので、輻射体２３の採熱面積が倍となりその効率がほぼ倍となり、輻射体２３の温度を高温とすることができるようになり、輻射体２３より輻射エネルギーとして発生する量が大幅に向上する。
【００５６】
また、輻射暖房運転時には輻射体２３が高温になるため、不用意に触れると火傷などの危険性があるが、輻射体２３の前面部には植毛加工が施された保護用の前面ガ−ド３７が設けられているので、高温の輻射体２３に直接手が触れてしまうのを防止することができる。さらに輻射体２３と輻射パネル２４の側面部に暖色系の光源２８を設け、輻射体２３と輻射パネル２４間に光源２８からの光を通し、輻射体２３内から光源２８の光を輻射体２３に設けた貫通孔２７、さらに前面ガ−ド３７の開口部を介して前面に放射するようにしてあるので、輻射部およびその近傍が高温であることを照明によって表示し、また視覚的な暖房感も得ることができるとともに触手等により不安全行為を防止することができる。
【００５７】
さらに、輻射体２３の奥側、輻射パネル２４の表面に複数の波形状を有する反射板２９を設け、光源２８からの光を反射板２９波部の斜面に反射させ、輻射体２３内から光源２８の光を貫通孔２７を介して前面に放射するようにしてあるので、輻射体２３の前方へ放射される光源２８の光量に強弱のアクセントが波板の波に対応して規則正しくつき、使用者がより光源２８の光を認識しやすくなるため、より一層光源２８の点灯効果が増すことができるようになる。
【００５８】
（実施の形態２）
図４において、光源２８からの光は輻射パネル２４の表面に設けられた波形状を有する反射板２９に反射するが、機器前方へ放射される光は正面から見て複数の縦縞模様となる。本実施例においては、輻射体２３に設ける貫通孔３８を波形状の反射板による縞状の反射光に対して垂直に長手方向を有する長穴形状とし、かつ長穴の長手寸法Ａは反射光の縞ピッチ２本分の寸法Ｂ以上と設定してある。
【００５９】
上記の構成においては、機器を正面から見た状態から左右方向へ視点の角度を変化させてゆくと、１つの貫通孔３８から覗き見える縞状反射光の１本が貫通孔の影に隠れては、貫通孔の逆方向で１本の反射光が見え初めるというふうに刻々と変化してゆくが、貫通孔３８の長手寸法を反射光の縞ピッチ２本分以上と設定してあるので、常に１つの貫通孔からは２本の反射光が見える。よってどの角度から輻射体２３近傍を見た場合においても、局所的に暗い部分が生じて明るい部分との対比によって干渉縞が生じてしまうなどの問題が発生することなく、安定した見映えを確保することが可能である。
【００６０】
（実施の形態３）
図５において、輻射体２３に設ける貫通孔３９を波形状の反射板による縞状の反射光に対してある角度をもって斜めに配置された長穴形状の連続パタ−ンであり、左右方向に隣り合う貫通孔どうしが、縞状の反射光の幅寸法Ｄよりも大きい範囲Ｃで左右方向に重なり合うよう設定してある。上記の構成においては、機器を正面から見た状態から左右方向へ視点の角度を変化させてゆくと、貫通孔３９から見える反射光の縞模様は刻々と変化してゆくが、１本の縞状反射光は常に複数の貫通孔３９から覗き見える。よってどの角度から輻射体２３近傍を見た場合においても、局所的に暗い部分が生じて明るい部分との対比によって干渉縞が生じてしまうなどの問題が発生することなく、安定した見映えを確保することが可能である。
【００６１】
（実施の形態４）
図６においては、輻射体２３に設ける貫通孔４０を波形状の反射板による縞状の反射光に対してある角度をもって斜めに配置された長穴形状の連続パタ−ンであり、上下方向に隣り合う貫通孔どうしが、前面ガ−ド３７の横桟４１の幅寸法Ｆよりも大きい範囲Ｅで上下方向に重なり合うよう設定してある。上記の構成においては、機器を正面から見た状態から上下方向へ視点の角度を変化させてゆくと、貫通孔４０を通過してくる反射光が、横桟４１によって部分的に遮られる状態が刻々と変化してゆくが、横桟によって遮られない貫通孔の開口面積が常にほぼ一定に保たれるため、上下方向において局所的に暗い部分と明るい部分が生じることによる対比によって干渉縞が生じてしまうなどの問題が発生することなく、安定した見映えを確保することが可能である。
【００６２】
（実施の形態５）
図７においては、輻射体２３に設ける貫通孔４２を波形状の反射板による縞状の反射光に対して互いに逆方向のある角度を有する斜め長穴形状が、左右方向へ１列おきに連続するパタ−ンであり、左右方向に隣り合う貫通孔どうしが、縞状の反射光の幅寸法Ｄよりも大きい範囲Ｃで左右方向に重なり合うよう設定してある。上記の構成においては、機器を正面から見た状態から左右方向へ視点の角度を変化させてゆくと、貫通孔４２から見える反射光の縞模様は刻々と変化してゆくが、１本の縞状反射光は常に複数の貫通孔４２から覗き見える。よってどの角度から輻射体２３近傍を見た場合においても、局所的に暗い部分が生じて明るい部分との対比によって干渉縞が生じてしまうなどの問題が発生することなく、安定した見映えを確保することが可能である。
【００６３】
（実施の形態６）
図８においては、輻射体２３に設ける貫通孔４３を波形状の反射板による縞状の反射光に対して互いに逆方向のある角度を有する斜め長穴形状が、左右方向へ１列おきに連続するパタ−ンであり、上下方向に隣り合う貫通孔どうしが、前面ガ−ド３７の格子の横桟４１の幅寸法Ｆよりも大きい範囲Ｅで上下方向に重なり合うよう設定してある。上記の構成においては、機器を正面から見た状態から上下方向へ視点の角度を変化させてゆくと、貫通孔４３を通過してくる反射光が、横桟４１によって部分的に遮られる状態が刻々と変化してゆくが、横桟によって遮られない貫通孔の開口面積が常にほぼ一定に保たれるため、上下方向において局所的に暗い部分と明るい部分が生じることによる対比によって干渉縞が生じてしまうなどの問題が発生することなく、安定した見映えを確保することが可能である。
【００６４】
（実施の形態７）
図９，１０においては、輻射体２３に設ける貫通孔４４を、実施の形態５および６の条件を同時に満たすような連続パタ−ンに設定してある。上記の構成においては、機器を正面から見た状態から左右方向へ視点の角度を変化させてゆくと、貫通孔から見える反射光の縞模様は刻々と変化してゆくが、１本の縞状の反射光は常に複数の貫通孔から覗き見える。よってどの角度から輻射体２３近傍を見た場合においても、局所的に暗い部分が生じて明るい部分との対比によって干渉縞が生じてしまうなどの問題が発生することなく、安定した見栄えを確保することが可能である。また機器を正面から見た状態から上下方向へ視点の角度を変化させてゆくと、貫通孔４４を通過してくる反射光が、横桟４１によって部分的に遮られる状態が刻々と変化してゆくが、横桟によって遮られない貫通孔の開口面積が常にほぼ一定に保たれるため、上下方向において局所的に暗い部分と明るい部分が生じることによる対比によって干渉縞が生じてしまうなどの問題が発生することなく、安定した見栄えを確保することが可能である。つまり、上下左右どの角度から製品の輻射体部分を見た場合においても、輻射体全体の照明の見栄えが反射板２９の波形状や前面ガ−ド３７の横桟４１の形状などの影響を受けることのない安定した見映えを得ることができるという利点を有する。
【００６５】
（実施の形態８）
図１１においては、輻射体２３に設けられた貫通孔２７について、製品本体外部から貫通孔を介して本体内部に位置する高温ガス発生手段が直接見えないような範囲内に貫通孔２７の位置を限定しているため、機器外部から機器内部の高温ガス発生手段へ直接連通する開口部の面積が小さく、高温ガス発生手段にて発生したガス噴出音および燃焼音などの騒音が機器外へ漏れにくく、暖房機の低騒音化を実現することが可能である。
【産業上の利用可能性】
【００６６】
以上説明したように本発明にかかる暖房装置によれば、使い勝手に応じて暖房形態を自由に選択できる快適な暖房装置を提供することができ、一般家庭用の採暖器具としての用途に適している。
【図面の簡単な説明】
【００６７】
【図１】本発明の実施の形態１を示す暖房装置の輻射暖房運転時の断面図
【図２】同暖房装置の温風暖房運転時の断面図
【図３】同暖房装置の要部を切欠いた分解斜視図
【図４】（ａ）は本発明の実施の形態２を示す暖房装置の横断面図（ｂ）は前面図
【図５】（ａ）は本発明の実施の形態３を示す暖房装置の横断面図（ｂ）は前面図
【図６】（ａ）は本発明の実施の形態４を示す暖房装置の横断面図（ｂ）は前面図
【図７】（ａ）は本発明の実施の形態５を示す暖房装置の横断面図（ｂ）は前面図
【図８】（ａ）は本発明の実施の形態６を示す暖房装置の横断面図（ｂ）は前面図
【図９】本発明の実施の形態７における暖房装置の要部を切欠いた分解斜視図
【図１０】（ａ）は本発明の実施の形態７を示す暖房装置の横断面図（ｂ）は前面図
【図１１】本発明の実施の形態８における暖房装置の断面図
【図１２】従来の暖房装置の断面図の輻射暖房運転時の断面図
【図１３】従来の暖房装置の要部を切欠いた分解斜視図
【符号の説明】
【００６８】
２１  高温ガス発生手段
２３  輻射体
２４  輻射パネル
２５  輻射体加熱風路
２６  採熱面
２７  貫通孔
２８  光源
２９  反射板
３０  輻射体冷却風路
３１  機器筐体
３２  温風吹出口
３３  送風機
３４  本体冷却風路
３５  風路切替手段
３７  前面ガード
３８  貫通穴
【図１】
2005147496.tif 000003
【図２】
2005147496.tif 000004
【図３】
2005147496.tif 000005
【図４】
2005147496.tif 000006
【図５】
2005147496.tif 000007
【図６】
2005147496.tif 000008
【図７】
2005147496.tif 000009
【図８】
2005147496.tif 000010
【図９】
2005147496.tif 000011
【図１０】
2005147496.tif 000012
【図１１】
2005147496.tif 000013
【図１２】
2005147496.tif 000014
【図１３】
2005147496.tif 000015